(57)【要約】【課題】  胸が外から透けて見えたり、胸のでっぱりが目立ってしまったりすることを確実に防止し、急な来客等がある場合でも安心してリラックスでき、しかも、生理用品等も収容可能で利便性に富んだ女性用寝衣類を提供する。【解決手段】  この女性用寝衣類１は、左右の胸が当接する部分の表側及び裏側の両側に、ポケット１５を有することを特徴とする。そのため、左右の胸に当接する部分の生地が厚くなり、ブラジャー等の胸用肌着を着用しなくても、胸が外から透けて見えたり、胸のでっぱりが目立ったりすることを確実に防止し、ゆったりとくつろげ、急な来客等があっても、安心してリラックスできる。また、ポケットが合計４つも形成されているので、生理用品等の小物をいくつも収容でき利便性がよい。【選択図】  図２
0003108604.tif 000002
【実用新案登録請求の範囲】
【請求項１】
左右の胸が当接する部分の表側及び裏側の両側に、ポケットを有することを特徴とする女性用寝衣類。
【請求項２】
前記裏側のポケットに、収容されるパットを備えた請求項１記載の女性用寝衣類。
【請求項３】
前記パットは、胸を包めるように湾曲した形状をなしている請求項１又は２記載の女性用寝衣類。
【請求項４】
裏側に設けられた前記ポケットの開口部には、ボタン、ホック、スナップ、面ファスナーから選ばれた開閉手段により開閉可能とされている請求項１〜３のいずれか１つに記載の女性用寝衣類。
【請求項５】
前記ポケットは、面ファスナーによって着脱可能とされている請求項１〜４のいずれか１つに記載の女性用寝衣類。
【請求項６】
内側及び外側の前記ポケットは、女性用寝衣類の生地を間に挟んで一体に縫着されている請求項１〜５のいずれか１つに記載の女性用寝衣類。
【請求項７】
前記女性用寝衣類は、パジャマ、ネグリジェ、ナイトウェア、ホームウェア、ジャージから選ばれた請求項１〜６のいずれか１つに記載の女性用寝衣類。
【請求項８】
前記女性用寝衣類は、上着とズボンとが別々である請求項７記載の女性用寝衣類。
【請求項９】
前記女性用寝衣類は、上着とズボンとが一体成形されている請求項７記載の女性用寝衣類。
【考案の詳細な説明】
【技術分野】
【０００１】
本考案は、パジャマ等の女性用寝衣類に関し、特に胸が外から透けて見えたり、胸のでっぱりが目立ってしまったりすることを防止する女性用寝衣類に関する。
【背景技術】
【０００２】
胸の形崩れを防止し、ボディーラインを美しく見せるために、ブラジャー等の胸用肌着が広く用いられている。この胸用肌着は胸を締め付けて圧迫するので、自宅内や就寝時には外すことが多く、その代わりに薄い肌着等を着用し、更にその上からパジャマ等の寝衣類を着用することにより、胸の圧迫感をなくして、ゆったりとくつろぐようにしている。
【０００３】
上記寝衣類、特にパジャマとしては、胸にポケットがある形態のものが、生理用品や、メガネ、補聴器等の小物を収容するのに便利であるため、広く用いられている。下記特許文献１には、このようなパジャマとして、胸ポケットと、この胸ポケットよりも幅が狭く下部が胸ポケットの内側に位置し、上端開口部が該胸ポケットの開口部より上方に位置する底部開放ポケットを備えたパジャマが開示されている。また、その実施形態には、上記ポケットは、左胸に位置するように形成されていることが記載されている。
【特許文献１】実用新案登録第３０７０８９９号
【考案の開示】
【考案が解決しようとする課題】
【０００４】
しかしながら、ブラジャー等の胸用肌着を着用しないとなると、寝衣類が透けて胸が外から見えてしまったり、更には、薄手の肌着等やパジャマ等の生地に、胸のでっぱりが密着して目立ってしまったりすることがあった。
【０００５】
このような場合、急な来客があったり、宅配便の夜間配達があったりすると、すぐに応対できず、前記胸用肌着を着用したり、カーディガン等を羽織ったりしなければならず、不便であった。また、いつ来客等があるか分からないので、安心してリラックスすることができなかった。更に、自宅内に他の同居人がいる場合にも問題がある。また、病気やケガ等により、病院等に入院している場合においても同様で、この場合も見舞い客との面会等に問題があり、病気やケガ等の療養中にも関わらずリラックスして過ごすことができない。
【０００６】
ところで、上記特許文献１のように、胸ポケットがあるような場合、胸が外から透けて見えたりはしにくくなる。しかしながら、寝衣類は、肌触り、着心地等が優先され、比較的、生地が薄めのもので形成することが多いので、胸が透けて見える可能性は捨てきれず、胸のでっぱりが目立ってしまうといった事態も完全には防止できない。
【０００７】
また、上記特許文献１にも示されているように、寝衣類に設けられる胸ポケットは、左胸に付されていることが多い。そのため、右胸が外から透けて見えたり、そのでっぱりが目立ったりといった問題を解決することはできない。
【０００８】
したがって、本考案の目的は、胸が外から透けて見えたり、胸のでっぱりが目立ってしまったりすることを確実に防止し、急な来客等がある場合でも安心してリラックスでき、しかも、生理用品等も収容可能で利便性に富んだ女性用寝衣類を提供することにある。
【課題を解決するための手段】
【０００９】
上記目的を達成するため、本考案の女性用寝衣類は、左右の胸が当接する部分の表側及び裏側の両側に、ポケットを有することを特徴とする。
【００１０】
これによれば、女性用寝衣類の左右の胸が当接する部分の表側及び裏側の両側に、ポケットを形成したので、このポケットの生地の厚さ分だけ、左右の胸に当接する部分の生地が厚くなり、ブラジャー等の胸用肌着を着用しなくても、胸が外から透けて見えたり、胸のでっぱりが目立ったりすることを確実に防止できる。また、人目を気にする必要がなくなるので、自宅内に他の同居人がいても問題がない。
【００１１】
更に、胸用肌着が不要となるので、胸の圧迫感がなくなり、ゆったりとくつろいで、自宅内で過ごしたり就寝したりでき、しかも、急な来客や宅配便の夜間配達があっても慌てることなく、すぐに応対することができるので、安心してリラックスすることができる。また、病気やケガ等により、病院等に入院している場合においても、見舞い客との面会等を難なくこなすことができ、更には同じ病室の人の人目が気になることもなくなるので、病気やケガ等の療養中に、リラックスして過ごすことができるようになる。
【００１２】
また、ポケットが左右両胸の表裏に合計４つも形成されているので、例えば、生理用品や、メガネ、補聴器等の小物を収容する収容スペースが多く、利便性が向上する。
【００１３】
本考案の女性用寝衣類においては、前記裏側のポケットに、収容されるパットを備えることが好ましい。
【００１４】
これによれば、パットを収容したことにより、胸が外から透けて見えたり、胸のでっぱりが目立ったりすることを、より確実に防止することができる。しかも、通常のブラジャー等の胸用肌着に比べて締め付け感を少なくすることができるので、よりリラックス可能となる。
【００１５】
本考案の女性用寝衣類においては、前記パットは、胸を包めるように湾曲した形状をなしていることが好ましい。
【００１６】
これによれば、胸全体がポケットを介して、パット内部に入り込むように当接するので、違和感を少なくして、フィット感を向上させることができ、更に胸の形状保持効果も期待できる。
【００１７】
本発明の女性用寝衣類においては、裏側に設けられた前記ポケットの開口部には、ボタン、ホック、スナップ、面ファスナーから選ばれた開閉手段により開閉可能とされていることが好ましい。
【００１８】
これによれば、ポケットの開口部を上記開閉手段により開閉可能とされているので、ポケットからパット等を出し入れでき、また、開口部を閉じておけばパット等を紛失することもないので、パットをポケット内に収容したままでも洗濯することができるので利便性が向上する。また、自宅内での着用時や就寝時等においても、位置がずれたり、脱落したりすることを防止でき、着用時の安心感を更に向上させる。
【００１９】
本考案の女性用寝衣類においては、前記ポケットは、面ファスナーによって着脱可能とされていることが好ましい。
【００２０】
これによれば、ポケットにゴミ等が溜まった場でも、適宜ポケットを取り外して掃除をすることができるので衛生的となる。また、前記パットを、ポケット内で安定して固定できるので、自宅内での着用時や就寝時等においても、位置がずれたりることがなく、また、その脱落を確実に防止するので、上述したパットによる胸の形状保持機能を効果的に発揮できる。
【００２１】
本発明の女性用寝衣類においては、内側及び外側の前記ポケットは、女性用寝衣類の生地を間に挟んで一体に縫着されていることが好ましい。
【００２２】
これによれば、ポケットの縫い目が、表側、裏側で合わせて一つだけとなる。そのため、縫い目が目立たなくなるので、美観を損なうことことがなく、更には、着用時の不快感も少なくして、フィーリングをよくすることができる。
【００２３】
本考案の女性用寝衣類においては、前記女性用寝衣類は、パジャマ、ネグリジェ、ナイトウェア、ホームウェア、ジャージから選ばれたものであることが好ましい。
【００２４】
これによれば、女性用寝衣類として上記のものとすることにより、ネグリジェ等の薄手のものや、ジャージ等の厚手のもの等、使用者は、自分の好みに応じて適宜選択することができるようになるので、使用者の満足感が高い女性用寝衣類を提供できる。
【００２５】
本考案の女性用寝衣類においては、前記女性用寝衣類は、上着とズボンとが別々であることが好ましい。
【００２６】
これによれば、収容タンス等に別々に保管したり、洗濯等も別々にしたりできるので、使用者の利便性が向上する。
【００２７】
本考案の女性用寝衣類においては、前記女性用寝衣類は、上着とズボンとが一体成形されていることが好ましい。
【００２８】
これによれば、洗濯時にバラバラとなって他のものと混同したり、上着だけ或いはズボンだけを紛失したりする恐れも少なくなり、更には手軽に着用できるので、使用者の利便性が向上する。
【考案の効果】
【００２９】
本考案の女性用寝衣類によれば、女性用寝衣類の左右の胸が当接する部分の表側及び裏側の両側にポケットを形成したので、左右の胸に当接する部分の生地が厚くなり、ブラジャー等の胸用肌着を着用しなくても、胸が外から透けて見えたり、胸のでっぱりが目立ったりすることを確実に防止でき、他の同居人を気遣う必要もない。
【００３０】
また、胸用肌着が不要となるので、胸の圧迫感がなく、ゆったりとくつろげ、急な来客等があっても、安心してリラックスすることができ、更に、ポケットが左右両胸の表裏に合計４つも形成されているので、生理用品等の小物をいくつも収容でき、利便性がよい。
【考案を実施するための最良の形態】
【００３１】
以下、図１〜３を参照して、本考案の女性用寝衣類の実施形態を説明する。
【００３２】
図１に示すように、この女性用寝衣類１は、上着１０と、ズボン２０とで構成されている。
【００３３】
上着１０は、上半身を覆い、上下に一列に配置されたボタン１４によって、開閉可能とされた本体１１と、この本体１１の左右両側から斜め下方に延出して、両腕が挿入される袖部１２と、本体１１の上方が開口して形成され、首が露出する部分となる、襟部１３とで主として構成される。
【００３４】
図２を併せて参照すると、本体１１上方の左右両胸が当接する部分には、その表側と裏側との両側に、ポケット１５が合計して４つ設けられている。この実施形態の場合、表側と裏側のポケット１５は、本体１１の生地を挟んで、その左右両側の端部と下端部とが、同一の裁縫用糸等で、同一の工程によって、一体で縫着されている。
【００３５】
こうすると、ポケット１５の縫い目が、表側、裏側で合わせて一つだけとなる。そのため、縫い目が目立たなくなるので、美観を損なうことことがなく、更には、着用時の不快感も少なくして、フィーリングをよくすることができる。また、ポケット１５の上方が開口しているので、生理用品、メガネ等を収容可能となっている。
【００３６】
また、図３に示すように、本体１１裏側の左右のポケット１５の内部には、パット３０が収容されている。このパット３０は、胸の形に合わせて湾曲しており、胸全体を包み込める形状となっている。また、ポケット１５は、この実施形態の場合、上方に開口しているが、例えば、ボタン、ホック、スナップ等とそれらに係合する穴、或いは、一対の面ファスナー等を設けて、開閉可能としてもよい。このようにすれば、生理用品、メガネ等や、パット３０の脱落等を防止できる。
【００３７】
ところで、女性用寝衣類１０とポケット１５とは、通常は、同じ厚さの生地で形成されているが、例えば、女性用寝衣類１０全体が厚い場合には、ポケット１５だけを薄く形成しておいてもよく、このようにすると、全体としてゴワゴワした感触でも、胸の部分だけはフィーリングを向上させることができる。或いは、その逆であって、女性用寝衣類１０全体が薄くし、ポケット１５だけを厚く形成してもよく、このようにすると、夏場用等の生地が薄い女性用寝衣類であっても、胸のでっぱり等が目立つことを、より確実に防止できる。
【００３８】
また、女性用寝衣類１０の材質としては、ポリエステル、綿、ナイロン等が挙げられる。更に、汗を吸いこみやすく、しかも素早く乾く、いわゆる吸汗速乾性の素材を用いてもよい。
【００３９】
以上説明した女性用寝衣類１は、パジャマ、ネグリジェ、ナイトウェア、ホームウェア、ジャージ等に適用することができる。すなわち、ネグリジェ等の薄手の生地のものや、ジャージ等の厚手の生地もの等にでも適用でき、使用者は、自分の好みに応じて適宜選択することが可能となるので、使用者は、高い満足感が得られるようになる。
【００４０】
また、この実施形態の女性用寝衣類１は、上述したように上着１０とズボン２０とが別々であるので、例えば、収容タンス等に別々に保管したり、洗濯等も別々にしたりできるので、使用者の利便性が向上する。
【００４１】
なお、上記実施形態のように上着１０とズボン２０とが別々ではなく、これらを一体成形して、いわゆるワンピースとしてもよく、このようにすれば、洗濯時にバラバラとなって他のものと混同したり、上着だけ或いはズボンだけを紛失したりする恐れも少なくなり、更には手軽に着用できるので、使用者の利便性が向上する。
【００４２】
次に、本考案の女性用寝衣類１の作用効果について説明する。
【００４３】
本考案の女性用寝衣類１は、例えば、自宅内に過ごしたり、就寝したりする際に、胸の圧迫を緩和してリラックスできるように着用されるものである。そして、両方の裾部２１に両足を通してズボン２０を履き、両方の袖部１２に両腕を通し、本体１１のボタン１４を掛けることにより上着１０を着用する。
【００４４】
すると、図３に示すように、胸Ａが裏側のポケット１５に当接するようになる。この際、左右の胸Ａが当接する部分の表側及び裏側の両側に、ポケット１５を形成されているので、ポケット１５の生地の厚さ分だけ、左右の胸Ａに当接する部分の生地が厚くなり、ブラジャー等の胸用肌着を着用しなくても、胸Ａが外から透けて見えたり、胸ＡのでっぱりＢが目立ったりすることを確実に防止できる。また、人目を気にする必要がなくなるので、自宅内に他の同居人がいても問題がなくなる。
【００４５】
更に、胸用肌着が不要となるので、胸Ａの圧迫感がなくなり、ゆったりとくつろいで、自宅内で過ごしたり就寝したりでき、しかも、急な来客や宅配便の夜間配達があっても慌てることなく、すぐに応対することができるので、安心してリラックスできる。また、病気やケガ等により、病院等に入院している場合においても、見舞い客との面会等を難なくこなすことができ、更には同じ病室の人の人目が気になることもなくなるので、病気やケガ等の療養中に、リラックスして過ごすことができる。
【００４６】
また、ポケット１５が左右両胸の表裏に合計４つも形成されているので、例えば、生理用品や、メガネ、補聴器等の小物を収容する収容スペースが多く、利便性が向上する。
【００４７】
更に、図３に示すように、裏側のポケット１５に、パット３０を収容した場合には、胸Ａが外から透けて見えたり、胸ＡのでっぱりＢが目立ったりすることを、より確実に防止することができる。しかも、通常のブラジャー等の胸用肌着に比べて締め付け感を少なくすることができるので、よりリラックス可能となる。
【００４８】
また、パット３０は、胸Ａを包めるように湾曲した形状をなしているので、胸全体がポケット１５を介して、パット３０内部に入り込むように当接するので、違和感を少なくして、フィット感を向上させることができ、更に胸の形状保持効果も期待できる。
【００４９】
更に、上記実施形態においては、裏側に設けられたポケット１５の開口部には、ボタン、ホック、スナップ、面ファスナーから選ばれた開閉手段により開閉可能としてもよい。こうすれば、ポケット１５の開口部を上記開閉手段により開閉可能とされているので、ポケット１５からパット３０等を出し入れでき、また、開口部を閉じておけばパット３０等を紛失することもなくなる。そのため、パット３０をポケット１５内に収容したままでも洗濯することができるので利便性が向上する。
【００５０】
ところで、子供を妊娠中或いは子育て中の女性は、母乳が漏れ易い状態となっており、パット３０が不衛生になりがちになるが、この場合でも、パット３０を適宜取り出すか、或いはポケット３０に収容したままで洗濯でき、便利で衛生的である。
【００５１】
また、自宅内での着用時や就寝時等においても、位置がずれたり、脱落したりすることを防止できる。このため、例えば、寝起きや就寝中に、急な来客等があり、意識がはっきりしないような場合であっても、いちいちパット３０の有無を確認することなく、素早く応対できるようになるので、着用時の安心感を更に向上させる。
【００５２】
更に、上記実施形態においては、ポケット１５は、面ファスナーによって着脱可能としてもよい。
【００５３】
これによれば、ポケット１５にゴミ等が溜まった場でも、適宜ポケット１５を取り外して掃除をすることができるので衛生的となる。また、パット３０を、ポケット１５内で安定して固定できるので、自宅内での着用時や就寝時等においても、位置がずれたりることがなく、また、その脱落を確実に防止するので、上述したパット３０による胸の形状保持機能を効果的に発揮できる。
【産業上の利用可能性】
【００５４】
本考案は、胸が外から透けて見えたり、胸のでっぱりが目立ってしまったりすることを確実に防止し、急な来客等がある場合でも安心してリラックスでき、しかも、生理用品等も収容可能で利便性に富んだ女性用寝衣類として利用することができる。
【図面の簡単な説明】
【００５５】
【図１】本考案の女性用寝衣類の正面図である。
【図２】同女性用寝衣類の上着を示しており、その表裏面のポケットを説明するための説明図である。
【図３】同女性用寝衣類を着用した状態における、図１のＣ−Ｃ矢視線での断面図である。
【符号の説明】
【００５６】
１  女性用寝衣類
１０  上着
１１  本体
１２  袖部
１３  襟部
１４  ボタン
１５  ポケット
２０  ズボン
２１  裾部
３０  パット
【図１】
0003108604.tif 000003
【図２】
0003108604.tif 000004
【図３】
0003108604.tif 000005